(57)【特許請求の範囲】
【請求項１】
情報処理本体部と、
前記情報処理本体部に電気的に接続された表示部と、
前記情報処理本体部の筐体に設けられ、外部端子が挿通される挿通孔と同軸に位置し、外部端子が収容される筒孔が設けられた筒状のスリーブ部を有するジャックと、
を備え、前記ジャックのスリーブ部は、前記情報処理本体部の筐体の内側に収納され、前記スリーブ部の前記筐体側の端面は、前記スリーブ部の軸方向において前記筐体に覆われ、
前記ジャックは、前記スリーブ部の収容孔内に、前記ジャックと同軸に配置され、その外周面の径が前記スリーブ部の内周面の径よりも小さい筒状体を備える
情報処理装置。
【請求項２】
前記筐体に設けられ、前記外部端子が挿通される挿通孔の径は、前記スリーブ部の内周面の径に等しい、もしくは前記スリーブ部の内周面の径よりも小さい請求項１に記載の情報処理装置。
【請求項３】
前記筒状体の前記筐体側の端面は、前記筐体の外周面よりも内側に位置する請求項１または２に記載の情報処理装置。 
【請求項４】
前記スリーブ部の内周面と前記筒状体の外周面との間には、前記外部端子のマイナス電極が収容される第１の収容孔が形成され、前記筒状体の筒孔により、前記外部端子のプラス電極が収容される第２の収容孔が形成される請求項３に記載の情報処理装置。 
【請求項５】
前記ジャックは、ＤＣジャックである請求項４に記載の情報処理装置。
【発明の詳細な説明】
【技術分野】
【０００１】
本発明は、外部端子を接続するジャックを備えた情報処理装置に関する。
【背景技術】
【０００２】
パーソナルコンピュータ等の情報処理装置において、従来より薄型化が進められている。例えば、下記特許文献１では、外部端子を接続するコネクタ部を、電子機器本体と、表示部とを回動自在に連結するヒンジ部に設けることが開示されている。
ノート型パーソナルコンピュータ等の情報処理装置では、その本体部に外部端子を接続するコネクタ部が設けられているものもある。しかし、上記特許文献１に開示されているように、外部端子を接続するコネクタ部をヒンジ部に設けると、電子機器本体に必要とされる容積を減らすことができる。このため、その分装置全体を薄くすることが可能である。
【先行技術文献】
【特許文献】
【０００３】
【特許文献１】特開２０１０−６６９０５号公報
【発明の概要】
【発明が解決しようとする課題】
【０００４】
上記特許文献１のようにヒンジ部にコネクタ部を設けることで、装置全体の薄型化を図ることが可能である。しかし、逆にコネクタ部の配置位置は、ヒンジ部のみに限定されてしまう。すなわち、コネクタ部の配置位置に関する製品としてのデザインは限定されたものとなる。
一方で、大多数の人が様々な情報処理装置を扱う現代社会においては、多様なデザイン性の情報処理装置を提供することも求められている。
【０００５】
上述のような点を鑑みて、本技術は、デザイン性の幅を広げ、かつ薄型化の図ることができる情報処理装置を提供することを目的とする。
【課題を解決するための手段】
【０００６】
上記課題を解決するために、本開示による情報処理装置は、情報処理本体部と、情報処理本体部に電気的に接続された表示部を備える。また、情報処理本体部の筐体に設けられ、外部端子が挿通される挿通孔と同軸に位置し、外部端子が収容される筒孔が設けられた筒状のスリーブを有するジャックを備える。
そして、このジャックのスリーブは、情報処理本体部の筐体の内側に収納され、スリーブの筐体側の端部が、スリーブの軸方向において筐体に覆われる。
【０００７】
本開示の情報処理装置によれば、ジャックのスリーブは筐体の内側に収納され、スリーブの筐体側の端部が、スリーブの軸方向において筐体に覆われる。スリーブを筐体の内部に収納することで、スリーブの厚さ分だけ情報処理装置本体部の厚さを薄くすることが可能となる。
【発明の効果】
【０００８】
本開示の情報処理装置によれば、ジャックを情報処理本体部に設けたとしても、情報処理本体部の薄型化を図ることができる。このため、ジャックの配置位置に対するデザイン幅を広げながらも薄型化の図れる情報処理装置を提供することができる。
【図面の簡単な説明】
【０００９】
【図１】本技術の一実施形態による情報処理装置の概略斜視図である。
【図２】図２Ａは、本技術の一実施形態による情報処理装置に設けられたジャックの正面図であり、図２Ｂは、このジャックに外部端子を挿入する状態を示す断面図である。
【図３】図３Ａは、従来のジャックの正面図であり、図３Ｂは、従来のジャックに外部端子を挿入する状態を示す断面図である。
【図４】ジャックにおいて寸法が規制される箇所を示す説明図である。
【発明を実施するための形態】
【００１０】
以下本技術を実施するための形態の例を説明するが、本技術は以下の例に限定されるものではない。
【００１１】
図１は、本技術の一実施形態による情報処理装置１を示す概略斜視図である。ここでは、情報処理装置として、ノート型のＰＣを例に挙げる。
本実施形態による情報処理装置１は、情報処理本体部２と、表示部３と、ヒンジ機構４等を備えて構成されている。情報処理本体部２及び表示部３は、互いに重なり合って積層可能に構成されている。情報処理本体部２と表示部３がヒンジ機構４によって回動可能に連結されており、これにより情報処理本体部２の上に表示部３を重ねることができる。
【００１２】
情報処理本体部２は、扁平な略直方体状に形成されている。この情報処理本体部２の内部には、制御部と、ＨＤＤ（Hard disk drive）又はＦｌａｓｈ  ＳＤＤ（Flash solid state drive）等からなる記憶装置等が内蔵されている。制御部は、配線基板上に所定のマイクロコンピュータ、抵抗やコンデンサその他の電子部品等を搭載することによって形成される。
【００１３】
また、情報処理本体部２は、略長方形状の主面部２ａと、対向する２つの側面部２ｂ、２ｃと、正面部２ｄと、正面部２ｄに対向する背面部２ｅと、主面部２ａに対向する載置面部２ｆとを有している。２つの側面部２ｂ、２ｃは、主面部２ａの長手方向の両端に主面部２ａから略垂直に連続している。正面部２ｄは、主面部２ａの短手方向の一端に配置されている。背面部２ｅは、正面部２ｄと対向し、且つ主面部２ａの短手方向の他端に配置されている。また、載置面部２ｆは、主面部２ａと対向している。
【００１４】
主面部２ａには、第１の入力部５が設けられている。第１の入力部５は、多数のキーからなる第１のキー式入力部６と、スティックポインタ７と、からなる。スティックポインタ７は、主面部２ａの中央部に配置されている。このスティックポインタ７は、後述する表示部３の表示面に表示されたカーソルの移動や画面のスクロール操作等に用いられる。
これらの第１のキー式入力部６及びスティックポインタ７から制御信号が入力され、所定の情報処理等が行われる。
【００１５】
また、背面部２ｅにおける長手方向両側には、ヒンジ機構４が設けられている。このヒンジ機構４によって情報処理本体部２と表示部３が回動可能に連結される。これにより、情報処理本体部２に対して表示部３が回動可能とされた情報処理装置１が構成されている。なお、ヒンジ機構４は、表示部３が情報処理本体部２に対して、任意の角度位置でその傾斜した姿勢を保持できるように構成されている。
【００１６】
表示部３は、情報処理本体部２と同様に、扁平な略直方体状に形成されている。また、この表示部３は、表示パネル１０と、情報処理本体部２の主面部２ａと対向する前面板１１と、背面板１２とを有している。この表示部３には、カメラが内蔵されていてもよい。
【００１７】
表示パネル１０としては、例えば液晶ディスプレイや有機ＥＬディスプレイ、表面電界ディスプレイ等が挙げられる。また、表示パネル１０の内側には、図示しないが、表示パネル１０の画面を制御する制御装置が搭載された配線基板等が必要に応じて収納されている。そして、各種の情報や画像等が表示パネル１０に表示可能に構成されている。
【００１８】
前面板１１は、略長方形をなす平板状に形成されている。また、前面板１１には、略長方形状に開口する開口部１３が設けられている。更に、この前面板１１には、表示パネル１０が不図示のフレーム部材を介して固定されている。そして、この前面板１１の開口部１３から、その内部に取り付けられた表示パネル１０の表示面１０ａが臨まれている。
【００１９】
また、前面板１１における開口部１３の長手方向の両側には、第２の入力部１４が設けられている。この第２の入力部１４は、開口部１３の長手方向の両側で、且つ情報処理本体部２との接続側に位置している。第２の入力部１４は、２つのキーからなる第２のキー式入力部１６と、タッチパネル式のタッチ式入力部１７とを有している。タッチ式入力部１７の入力方式としては、例えば静電容量方式や抵抗膜方式等が挙げられる。また、タッチ式入力部１７の近傍には、カメラのレンズ部が臨む撮像窓１８が設けられている。
【００２０】
更に、前面板１１には、開口部１３、タッチ式入力部１７及び撮像窓１８を覆うようにクリアパネル１９が取り付けられている。クリアパネル１９は、透明な平板状の部材で形成されている。このクリアパネル１９には、露出窓２１が形成されている。露出窓２１は、クリアパネル１９を前面板１１に取り付けた際に、第２のキー式入力部１６と対応する箇所に配置されている。そして、この露出窓２１から前面板１１に設けた第２のキー式入力部１６が露出する。
【００２１】
背面板１２は、略長方形をなす平板状に形成されている。この背面板１２は、表示パネル１０の表示面１０ａの反対側に配置されて、前面板１１及び表示パネル１０の背面を全て覆っている。
【００２２】
このような情報処理装置１において、情報処理本体部２の側面部２ｂには、外部電源や外付けディスクドライブやＵＳＢフラッシュメモリ等の外部装置と接続するための接続端子が設けられている。
例えば本実施形態では、側面部２ｂの背面部２ｅ側に外部電源と接続するためのＤＣジャックとしてジャック４０が配置されている。
【００２３】
図２Ａは、このジャック４０を側面部２ｂに垂直な方向から見た概略正面図であり、図２Ｂは、このジャック４０に外部電源からのプラグ３０を挿入する状態を図３ＡのＹ−Ｙ’断面において示す概略断面図である。
【００２４】
プラグ３０は、例えば絶縁体ハウジング３１と、ジャック４０に接続する外部端子として、絶縁体ハウジング３１に固定された外周電極３２及び中心電極３３を備えている。
接続時において、ジャック４０に対向する絶縁体ハウジング３１の端面３１ａの中心には、端面３１ａから突出する円柱状の突出部３１ｂが設けられている。また、この突出部３１ｂの外周に沿って円筒状の外周電極３２が、絶縁体ハウジング３１の端面３１ａから突出している。
また、突出部３１ｂからは、外周電極３２の中心軸位置において、外周電極３２の軸方向に中心電極３３が突出している。
ＤＣ電源用として、ＥＩＡＪ（Electronic Industries Association of Japan）により規格化されたプラグ３０では、中心電極３３がプラス極、外周電極３２がマイナス極として機能する。
【００２５】
ジャック４０は、絶縁体ハウジング４１と、プラグ３０の外周電極３２と中心電極３３を収容する収容部４２を備える。
収容部４２は、絶縁体ハウジング４１から突出するスリーブ部４３と、円筒状の筒状体４４とを有している。
【００２６】
スリーブ部４３は、絶縁体ハウジング４１のプラグ３０に対向する側の端面４１ａから突出しており、円筒状の形状をしている。このスリーブ部４３の筒孔４９は、外部端子が収容される収容孔を形成している。また、このスリーブ部４３の筒孔において、絶縁体ハウジング４１の端面４１ａから円筒形をした筒状体４４が突出している。
スリーブ部４３と筒状体４４の軸は一致しており、筒状体４４の外径は、スリーブ部４３の内径よりも小さい。
【００２７】
スリーブ部４３の筒孔４９は、この筒状体４４によって第１の収容孔４５と第２の収容孔４６の二つの空間に仕切られている。
スリーブ部４３の内周面と筒状体４４の外周面との間には円筒形状をした第１の収容孔４５が形成され、この第１の収容孔４５にプラグ３０の外周電極３２が収容される。
また、筒状体４４の筒孔である第２の収容孔４６には、プラグ３０の中心電極３３が収容される。
【００２８】
スリーブ部４３の内周面には、第１電極４７が配置され、プラグ３０の外周電極３２に電気的に接続される。また、筒状体４４の内周面には第２電極４８が配置され、プラグ３０の中心電極３３に電気的に接続される。
なお、第１電極４７と外周電極３２、第２電極４８と中心電極３３を電気的に接続する方法や、外周電極３２及び中心電極３３を収容部４２内でロックする方法は限定されるものではなく、たとえばスリーブばねを介して第１電極４７と外周電極３２を通電する等、種々の構成をとってよい。
【００２９】
ジャック４０は、情報処理本体部２（図示せず）の筐体２Ａの内部に収納されている。この筐体２Ａは、例えばエンジニアリングプラスチック等にて構成される。筐体２Ａの側面（情報処理本体部２の側面部２ｂ、図１参照）には開口が設けられ、外周電極３２や中心電極３３が挿通される挿通孔２Ｂを形成している。挿通孔２Ｂの中心軸は、スリーブ部４３及び筒状体４４の中心軸に一致している。
この挿通孔２Ｂからは、図２Ａに示すように、収容部４２の第１の収容孔４５及び第２の収容孔４６が臨まれている。
【００３０】
また、本実施の形態では、ジャック４０のスリーブ部４３が筐体２Ａの内側に収納されている。特に、スリーブ部４３の軸方向において、スリーブ部４３の端面４３ａは、筐体２Ａに覆われている。このような形態をとることにより、ジャック４０を情報処理本体部２に配設したとしても、情報処理本体部２の薄型化を図ることが可能である。
【００３１】
ここで、比較例として図３Ａ，Ｂに従来のジャック５０を示す。図３Ａは、従来のジャック５０の正面図であり、図３Ｂは、ジャック５０にプラグ３０を挿通した状態における図３ＡのＹ−Ｙ’断面図である。
従来のジャック５０は、例えば絶縁体ハウジング５１と、プラグ３０の外周電極３２及び中心電極３３を収容する収容部５２によって構成される。この収容部５２は、絶縁体ハウジング５１から突出するスリーブ部５３と筒状体５４とによって構成されているが、スリーブ部５３は、筐体２Ｃの外周面より突出している。
【００３２】
例えば振動等によってプラグ３０が矢印Ａ１に示す方向に動いた場合には、外周電極３２がスリーブ部５３の筐体２Ａから突出した部分に当接することで支えられるとともに、外周電極３２や中心電極３３の振れ幅が抑えられる。これにより外周電極３２や中心電極３３等の破損を防止している。
【００３３】
一方で、一般的に、矢印Ａ２，Ａ３に示す、情報処理本体部の筐体２Ｃの主面２ｇ、載置面２ｈから筐体２Ｃの開口２Ｄまでの距離は、ある一定の距離以上を必要とする。これは、開口を設けるにあたり、ある一定以上の距離を設けないと筐体２Ｃの成型が困難になるためである。
すなわち、従来においては、筐体２Ｃの外周面から突出させたスリーブ部５３の厚さと、筐体２Ｃの主面２ｇ，載置面２ｈから開口２Ｄまでに確保する一定の距離とが必ず情報処理本体部の厚さに含まれるため、情報処理本体部を薄型化するのが困難であった。
【００３４】
これに対して、本実施形態による情報処理装置１では、図２Ｂに示すように、スリーブ部４３は筐体２Ａの内側に収納されており、スリーブ部４３の軸方向においてスリーブ部４３は筐体２Ａに覆われている。
このようにすることで、挿通孔２Ｂの大きさはスリーブ部４３の厚さ分だけ小さくなっている。また、スリーブ部４３の端面４３ａを筐体２Ａで覆うことにより、挿通孔２Ｂから筐体２Ａ（情報処理本体部２）の主面部２ａ，載置面部２ｆまでの距離において、筐体２Ａの成型に必要とされる長さを容易に確保することができる。
挿通孔２Ｂから筐体２Ａ（情報処理本体部２）の主面部２ａまでの距離、挿通孔２Ｂから載置面部２ｆまでの距離は、図３Ｂにおいて矢印Ａ２，Ａ３に示した距離と同じであってよい。しかし、挿通孔２Ｂが小さくなった分、すなわちスリーブ部４３の厚さ分だけ情報処理本体部２を薄型化することが可能である。
【００３５】
このように、本実施形態の情報処理装置１では、情報処理本体部２にジャック４０を設けたとしても、情報処理本体部２の薄型化を図ることができる。したがって、ジャックの配置位置に対するデザイン性の幅を広げることが可能となり、薄型化された多様なデザインの情報処理装置を提供することができる。
【００３６】
また、挿通孔２Ｂの径は、スリーブ部４３の内周面の径に等しいか、もしくはスリーブ部４３の内周面の径よりも小さいことが好ましい。
このようにすることで、プラグ３０が矢印Ａ４の方向に動いた時には、外周電極３２が挿通孔２Ｂの周縁部における筐体２Ａに当接し、外周電極３２やプラグ３０が支持される。
【００３７】
例えば、図３Ｂに示したジャック５０のようにスリーブ部５３の端部に外周電極３２が当接する構造では、プラグに加わった力の全てを一旦スリーブ部５３（ジャック５０）が受けることになり、ジャック５０が損傷する恐れがある。
【００３８】
しかし、本実施形態のジャック４０では、プラグ３０が動いた場合には、外周電極３２を筐体２Ａに当接させることで外周電極３２を支える。このため、プラグ３０に加わった力が直接ジャック４０に伝わるのを抑制でき、ジャック４０の損傷をより確実に防止することが可能である。
すなわち、本実施形態では、外部端子をガイドし、支えるというスリーブの機能を情報処理装置の筐体にも備えさせているということができる。
【００３９】
挿通孔２Ｂの周縁部における筐体２Ａをスリーブとして用いているので、筒状体４４は、筐体２Ａの側面（側面部２ｂ）より内側に位置する。したがって、収容部４２全体が筐体２Ａの外周面より内側に位置している。
また、一般的に情報処理装置の筐体は、もとより高い強度を備えるように構成されるので、筐体２Ａに特殊な処理を施さずとも、容易にプラグ３０を支えることができる。
【００４０】
なお、例えばＥＩＡＪ規格の区分５では、ジャックの寸法が定められている。図４は、この規格により寸法が定められた箇所を示す説明図である。
この規格では、４箇所の寸法が定められている。一箇所目は、矢印Ａ５に示す筒状体４４の内周面の径であり、２箇所目は、矢印Ａ６に示す筒状体４４の外周面の径である。また、３箇所目は、矢印Ａ７に示すスリーブ部４３の内周面の径である。また、４箇所目は矢印Ａ８に示す絶縁体ハウジング４１の端面４１ａから筒状体４４の端面４４ａまでの距離、すなわち筒状体４４の長さである。
【００４１】
このように、ジャックにおいては、外部端子と嵌合する箇所のみ寸法が規制されており、その外形については制限されていない。したがって、本実施形態のジャック４０においても同様に、ジャック４０の外形については限定されるものではなく、適宜変更してよい。例えば、スリーブ部４３の厚さは、必ずしも円周方向に均一である必要はなく、異なっていてもよい。
【００４２】
以上、情報処理装置の実施の形態について説明した。本技術は上記実施の形態にとらわれることなく、特許請求の範囲に記載した本技術の要旨を逸脱しない限りにおいて、考えられる種々の形態を含むものである。
【符号の説明】
【００４３】
１・・・情報処理装置、２・・・情報処理本体部、２ａ・・・主面部、２Ａ，２Ｃ・・・筐体、２Ｂ・・・挿通孔、２ｂ・・・側面部、２Ｄ・・・開口、２ｄ・・・正面部、２ｅ・・・背面部、２ｆ・・・載置面部、２ｇ・・・主面、２ｈ・・・載置面、３・・・表示部、４・・・ヒンジ機構、５・・・第１の入力部、６・・・第１のキー式入力部、７・・・スティックポインタ、１０・・・表示パネル、１０ａ・・・表示面、１１・・・前面板、１２・・・背面板、１３・・・開口部、１４・・・第２の入力部、１６・・・第２のキー式入力部、１７・・・タッチ式入力部、１８・・・撮像窓、１９・・・クリアパネル、２１・・・露出窓、３０・・・プラグ、３１，４１，５１・・・絶縁体ハウジング、３１ａ，４1ａ，４３ａ，４４ａ・・・端面、３１ｂ・・・突出部、３２・・・外周電極、３３・・・中心電極、４０，５０・・・ジャック、４２，５２・・・収容部、４３，５３・・・スリーブ部、４４，５４・・・筒状体、４５・・・第１の収容孔、４６・・・第２の収容孔、４７・・・第１電極、４８・・・第２電極、
【図１】
0005716420.tif 000002
【図２】
0005716420.tif 000003
【図３】
0005716420.tif 000004
【図４】
0005716420.tif 000005